(57)【特許請求の範囲】
【請求項１】
予約時刻、予約発呼番号およびメッセージを記憶する予約設定手段と、
通信先との間で通話のための通信を確立する通信手段と、
現在時刻が前記予約設定手段により記憶された予約時刻になると前記予約設定手段により記憶された予約発呼番号に発呼する予約発呼手段と、
前記予約発呼手段による発呼に応じて前記通信手段が通信を確立した後、前記予約設定手段により記憶された前記メッセージを再生して送信するメッセージ送信手段と、
第１音声出力手段と、
前記第１音声出力手段よりも出力する音量の大きい第２音声出力手段と、
前記通信手段による通信の確立が前記予約発呼手段による発呼によらない場合は前記第１音声出力手段を能動化し、前記通信手段による通信の確立が前記予約発呼手段による発呼による場合は前記第２音声出力手段を能動化する制御手段と、
アラーム音を出力するアラーム手段と、を備え、
前記制御手段は、前記予約発呼手段による発呼に応じて前記通信手段が通信を確立しない場合、前記アラーム手段にアラーム音を出力させる、通信端末。
【請求項２】
前記制御手段は、前記予約発呼手段による発呼後に前記第２音声出力手段を能動化する、請求項１に記載の通信端末。
【請求項３】
前記制御手段は、前記第２音声出力手段を能動化した後の所定時間経過後に、前記通信手段に通信を終了させる、請求項１または２に記載の通信端末。
【請求項４】
前記予約設定手段は、複数の予約発呼番号を記憶し、
前記予約発呼手段は、前記予約設定手段により記憶された複数の予約発呼番号のうちから１つを選択する選択手段を含み、
前記制御手段は、前記予約発呼手段による発呼に応じて前記通信手段が通信を確立しなかった場合に、前記予約発呼手段に次の予約発呼番号を選択させて発呼させる、請求項１〜３のいずれかに記載の通信端末。
【請求項５】
終了指示の入力を受付ける終了指示受付手段をさらに備え、
前記予約設定手段は、複数の予約発呼番号を記憶し、
前記予約発呼手段は、前記予約設定手段により記憶された複数の予約発呼番号のうちから１つを選択する選択手段を含み、
前記制御手段は、前記終了指示受付手段により終了指示の入力が受付けられなければ、前記予約発呼手段に次の予約発呼番号を選択させて発呼させる、請求項１〜３のいずれかに記載の通信端末。
【請求項６】
前記制御手段は、前記予約発呼手段による１回目の発呼後に２回目以降の発呼をすることが決定されるごとに前記アラーム手段にアラーム音を出力させ、前記予約発呼手段による発呼に応じて前記通信手段が通信を確立した場合に前記アラーム手段にアラーム音の出力を停止させる、請求項５に記載の通信端末。
【請求項７】
前記予約設定手段は、前記複数の予約発呼番号それぞれに対応して優先度を付加して前記複数の予約発呼番号を記憶し、
前記選択手段は、前記予約設定手段により記憶された複数の予約発呼番号のうちから優先度の高い順に１つを選択する、請求項４〜６のいずれかに記載の通信端末。
【請求項８】
前記予約設定手段は、前記予約発呼手段が過去に発呼した予約発呼番号をさらに記憶し、
前記予約発呼手段は、前記予約設定手段により記憶された複数の予約発呼番号のうちから１つを選択する選択手段を含み、
前記制御手段は、前記予約発呼手段による発呼に応じて前記通信手段が通信を確立しなかった場合に、前記予約発呼手段に次の予約発呼番号を選択させて発呼させる、請求項１〜３のいずれかに記載の通信端末。
【請求項９】
前記予約設定手段は、前記予約発呼手段により過去に発呼した複数の予約発呼番号それぞれに前記予約発呼手段により過去に発呼した回数を対応付けて記憶し、
前記選択手段は、前記予約発呼手段により過去に発呼した複数の予約発呼番号のうちから前記予約発呼手段により過去に発呼した回数の多い順に１つを選択する、請求項８に記載の通信端末。
【請求項１０】
予約時刻、予約発呼番号およびメッセージを記憶する予約設定手段と、
通信先との間で通話のための通信を確立する通信手段と、
現在時刻が前記予約設定手段により記憶された予約時刻になると前記予約手段により記憶された予約発呼番号に発呼する予約発呼手段と、
前記予約発呼手段による発呼に応じて前記通信手段が通信を確立した後、前記予約設定手段により記憶された前記メッセージを再生して送信するメッセージ送信手段と、
ハンズフリー装置と、
前記予約発呼手段による発呼に応じて前記通信手段が通信を確立した後、前記ハンズフリー装置を能動化する制御手段と、
アラーム音を出力するアラーム手段と、を備え、
前記制御手段は、前記予約発呼手段による発呼に応じて前記通信手段が通信を確立しない場合、前記アラーム手段にアラーム音を出力させる、携帯電話。
【請求項１１】
予約時刻、予約発呼番号およびメッセージを記憶する予約設定手段と、
通信先との間で通話のための通信を確立する通信手段と、
現在時刻が前記予約設定手段により記憶された予約時刻になると前記予約設定手段により記憶された予約発呼番号に発呼する予約発呼手段と、
前記予約発呼手段による発呼に応じて前記通信手段が通信を確立した後、前記予約設定手段により記憶された前記メッセージを再生して送信するメッセージ送信手段と、
第１音声出力手段と、
前記第１音声出力手段よりも出力する音量の大きい第２音声出力手段と、
前記通信手段による通信の確立が前記予約発呼手段による発呼によらない場合は前記第１音声出力手段を能動化し、前記通信手段による通信の確立が前記予約発呼手段による発呼による場合は前記第２音声出力手段を能動化する制御手段と、
終了指示の入力を受付ける終了指示受付手段と、
アラーム音を出力するアラーム手段と、を備え、
前記予約設定手段は、複数の予約発呼番号を記憶し、
前記予約発呼手段は、前記予約設定手段により記憶された複数の予約発呼番号のうちから１つを選択する選択手段を含み、
前記制御手段は、前記終了指示受付手段により終了指示の入力が受付けられなければ、前記予約発呼手段に次の予約発呼番号を選択させて発呼させ、
前記予約発呼手段による１回目の発呼後に２回目以降の発呼をすることが決定されるごとに前記アラーム手段にアラーム音を出力させ、前記予約発呼手段による発呼に応じて前記通信手段が通信を確立した場合に前記アラーム手段にアラーム音の出力を停止させる、通信端末。
【発明の詳細な説明】
【技術分野】
【０００１】
この発明は、通信端末および携帯電話に関し、特にアラーム機能を備えた通信端末および携帯電話に関する。
【背景技術】
【０００２】
近年市場に流通する携帯電話の多くは、アラーム機能を備えている。このアラーム機能は、予め日時を設定しておくことで、設定した日時になるとアラーム音を発生するものである。携帯電話のアラーム機能を用いて、携帯電話を目覚まし時計として使用することが可能である。しかしながら、アラーム音は、携帯電話が作り出した機械的な音なので、人に起こしてもらう場合に比較して、人間味が感じられず、目覚めの感覚が悪いものである。アラーム音に代えて、インターネットなどからダウンロードした音楽を用いることができる携帯電話もあるが、聞きなれた同じメロディなどでは、目覚まし効果に欠ける。
【０００３】
また、知人に起こしてもらいたい時刻に電話させるいわゆるモーニングコールがあるが、知人に起こしてもらいたい時刻を連絡しなければならないといった問題がある。特開平１１−２９８９６２号公報（特許文献１）には、登録されている電話番号を自動的に読み出して発呼し、接続先電話機の応答を確認後、予め録音されている伝言を再生・送信し、送信終了後、自動切断する自動送信手段を備えた、携帯電話機が記載されている。特開平１１−２９８９６２号公報に記載の携帯電話によれば、起こしてもらいたい時刻にモーニングコールすることを依頼することができる。しかしながら、モーニングコールを依頼した知人が、モーニングコールしたとしても、着信音でおこされることになり、アラーム音で目覚めるのと同じように目覚めが悪くなってしまう。また、知人が何らかの理由でモーニングコールのために発呼しなかった場合には、着信音さえ鳴ることがない。さらに、知人がモーニングコールするために通話料金が課金されてしまう。
【特許文献１】特開平１１−２９８９６２号公報
【発明の開示】
【発明が解決しようとする課題】
【０００４】
この発明は上述した問題点を解決するためになされたもので、この発明の目的の１つは、ユーザを心地よく目覚めさせることが可能な通信端末を提供することである。
【課題を解決するための手段】
【０００５】
この発明は上述した問題点を解決するためになされたもので、この発明のある局面によれば、通信端末は、予約時刻、予約発呼番号およびメッセージを記憶する予約設定手段と、通信先との間で通話のための通信を確立する通信手段と、現在時刻が予約設定手段により記憶された予約時刻になると予約設定手段により記憶された予約発呼番号に発呼する予約発呼手段と、予約発呼手段による発呼に応じて通信手段が通信を確立した後、予約設定手段により記憶されたメッセージを再生して送信するメッセージ送信手段と、第１音声出力手段と、第１音声出力手段よりも出力する音量の大きい第２音声出力手段と、通信手段による通信の確立が予約発呼手段による発呼によらない場合は第１音声出力手段を能動化し、通信手段による通信の確立が予約発呼手段による発呼による場合は第２音声出力手段を能動化する制御手段と、アラーム音を出力するアラーム手段とを備え、制御手段は、予約発呼手段による発呼に応じて通信手段が通信を確立しない場合、アラーム手段にアラーム音を出力させる。
【０００６】
この発明に従えば、現在時刻が予約時刻になると予約発呼番号に発呼するので、通信先の通信端末が、発呼に応じれば通信先の通信端末との間で通話のための通信が確立する。このため、通信端末のユーザが特別な操作をしなくても、予約発呼番号の通信先との間で通信を確立することができる。例えば、通信端末のユーザが就寝していても、通信端末と予約発呼番号の通信先との間で通信を確立することができる。また、通信先との間で通話のための通信が確立した後、記憶されたメッセージが再生されて送信されるので、予約発呼番号の通信先のユーザに通話の目的を知らせることが可能となる。さらに、通信の確立が予約発呼手段による発呼によらない場合は第１音声出力手段が能動化されるので、通信端末を耳に近づけた状態で通話することができる。一方、通信の確立が予約発呼手段による発呼による場合は第１音声出力手段よりも出力する音量の大きな第２音声出力手段が能動化されるので、予約発呼番号の通信先のユーザの声を、通信端末を耳から離した状態で聴くことができる。このため、予約時刻を起床時刻に設定すれば、通信端末のユーザは起床時にユーザの所望する相手の声を聴くことができ、ユーザは心地よい感覚で目覚めることができる。その結果、ユーザを心地よく目覚めさせることが可能な通信端末を提供することができる。
【０００７】
好ましくは、制御手段は、予約発呼手段による発呼後に第２音声出力手段を能動化する。
【０００８】
好ましくは、制御手段は、第２音声出力手段を能動化した後の所定時間経過後に、通信手段に通信を終了させる。
【０００９】
このため、通信の確立した状態が長時間継続することがなく、通話料金が無駄に加算されるのを防止することができる。
【００１０】
好ましくは、予約設定手段は、複数の予約発呼番号を記憶し、予約発呼手段は、予約設定手段により記憶された複数の予約発呼番号のうちから１つを選択する選択手段を含み、制御手段は、予約発呼手段による発呼に応じて通信手段が通信を確立しなかった場合に、予約発呼手段に次の予約発呼番号を選択させて発呼させる。
【００１１】
この発明に従えば、発呼に応じて通信を確立しなかった場合に、次の予約発呼番号を選択させて発呼させるので、予約発呼番号の通信端末のユーザが不在などで応呼しない場合でも別の予約発呼番号の通信端末との間で通信を確立する。このため、ユーザを確実に目覚めさせることができる。
【００１２】
好ましくは、終了指示の入力を受付ける終了指示受付手段をさらに備え、予約設定手段は、複数の予約発呼番号を記憶し、予約発呼手段は、予約設定手段により記憶された複数の予約発呼番号のうちから１つを選択する選択手段を含み、制御手段は、終了指示受付手段により終了指示の入力が受付けられなければ、予約発呼手段に次の予約発呼番号を選択させて発呼させる。
【００１３】
この発明に従えば、終了指示の入力が受付けられなければ、次の予約発呼番号を選択させて発呼させる。このため、終了指示の入力が受付けられるまで、次の予約発呼番号を選択させて発呼させるので、発呼に応じて通信を確立した通信端末が留守番モードなどの場合でも、応呼のあった通信端末のユーザの声を聴くことができる。複数の予約発呼番号を選択して発呼することで、応呼の確率を向上させて、ユーザを心地よく目覚めさせる確率を向上することができる。
【００１４】
好ましくは、制御手段は、予約発呼手段による１回目の発呼後に２回目以降の発呼をすることが決定されるごとにアラーム手段にアラーム音を出力させ、予約発呼手段による発呼に応じて通信手段が通信を確立した場合にアラーム手段にアラーム音の出力を停止させる。
【００１５】
この発明に従えば、１回目の発呼後に２回目以降の発呼をすることが決定されるごとにアラーム音が出力される。２回目以降の発呼がされる時点では、予約時刻から時間が経過しており、発呼が繰り返されるほど予約時刻からの経過時間が長くなる。１回目の発呼がされた後は、２回目以降の発呼がされる前にアラーム音を出力することで、できるだけ予約時刻に近い時刻にユーザを目覚めさせることができる。
【００１６】
好ましくは、予約設定手段は、複数の予約発呼番号それぞれに対応して優先度を付加して複数の予約発呼番号を記憶し、選択手段は、予約設定手段により記憶された複数の予約発呼番号のうちから優先度の高い順に１つを選択する。
【００１７】
好ましくは、予約設定手段は、予約発呼手段が過去に発呼した予約発呼番号をさらに記憶し、予約発呼手段は、予約設定手段により記憶された複数の予約発呼番号のうちから１つを選択する選択手段を含み、制御手段は、予約発呼手段による発呼に応じて通信手段が通信を確立しなかった場合に、予約発呼手段に次の予約発呼番号を選択させて発呼させる。
【００１８】
好ましくは、予約設定手段は、予約発呼手段により過去に発呼した複数の予約発呼番号それぞれに予約発呼手段により過去に発呼した回数を対応付けて記憶し、選択手段は、予約発呼手段により過去に発呼した複数の予約発呼番号のうちから予約発呼手段により過去に発呼した回数の多い順に１つを選択する。
【００１９】
この発明の他の局面によれば、携帯電話は、予約時刻、予約発呼番号およびメッセージを記憶する予約設定手段と、通信先との間で通話のための通信を確立する通信手段と、現在時刻が予約設定手段により記憶された予約時刻になると予約手段により記憶された予約発呼番号に発呼する予約発呼手段と、予約発呼手段による発呼に応じて通信手段が通信を確立した後、予約設定手段により記憶されたメッセージを再生して送信するメッセージ送信手段と、ハンズフリー装置と、予約発呼手段による発呼に応じて通信手段が通信を確立した後、ハンズフリー装置を能動化する制御手段と、アラーム音を出力するアラーム手段とを備え、制御手段は、予約発呼手段による発呼に応じて通信手段が通信を確立しない場合、アラーム手段にアラーム音を出力させる。
【００２０】
この発明に従えば、現在時刻が予約時刻になると予約発呼番号に発呼するので、その発呼に応じて通信先との間で通話のための通信が確立する。このため、携帯電話のユーザが特別な操作をしなくても、予約発呼番号の通信先との間で通信が確立する。例えば、携帯電話のユーザが就寝していても、携帯電話は予約発呼番号の通信先との間で通信を確立する。また、通信先との間で通話のための通信が確立した後、記憶されたメッセージが再生されて送信されるので、予約発呼番号の通信先のユーザに通話の目的を知らせることが可能となる。さらに、通信先との間で通話のための通信が確立した後、ハンズフリー装置が能動化されるので、予約発呼番号の通信先のユーザの声を、携帯電話を耳から離した状態で聴くことができる。このため、予約時刻を起床時刻に設定すれば、携帯電話のユーザは起床時にユーザの所望する相手の声を聴くことができ、ユーザは心地よい感覚で目覚めることができる。その結果、ユーザを心地よく目覚めさせることが可能な携帯電話を提供することができる。
この発明のさらに他の局面によれば、通信端末は、予約時刻、予約発呼番号およびメッセージを記憶する予約設定手段と、通信先との間で通話のための通信を確立する通信手段と、現在時刻が予約設定手段により記憶された予約時刻になると予約設定手段により記憶された予約発呼番号に発呼する予約発呼手段と、予約発呼手段による発呼に応じて通信手段が通信を確立した後、予約設定手段により記憶されたメッセージを再生して送信するメッセージ送信手段と、第１音声出力手段と、第１音声出力手段よりも出力する音量の大きい第２音声出力手段と、通信手段による通信の確立が予約発呼手段による発呼によらない場合は第１音声出力手段を能動化し、通信手段による通信の確立が予約発呼手段による発呼による場合は第２音声出力手段を能動化する制御手段と、終了指示の入力を受付ける終了指示受付手段と、アラーム音を出力するアラーム手段と、を備え、予約設定手段は、複数の予約発呼番号を記憶し、予約発呼手段は、予約設定手段により記憶された複数の予約発呼番号のうちから１つを選択する選択手段を含み、制御手段は、終了指示受付手段により終了指示の入力が受付けられなければ、予約発呼手段に次の予約発呼番号を選択させて発呼させ、予約発呼手段による１回目の発呼後に２回目以降の発呼をすることが決定されるごとにアラーム手段にアラーム音を出力させ、予約発呼手段による発呼に応じて通信手段が通信を確立した場合にアラーム手段にアラーム音の出力を停止させる。
この発明に従えば、ユーザを心地よく目覚めさせることが可能な通信端末を提供することができる。
【発明を実施するための最良の形態】
【００２１】
以下、本発明の実施の形態について図面を参照して説明する。以下の説明では同一の部品には同一の符号を付してある。それらの名称および機能も同じである。したがってそれらについての詳細な説明は繰返さない。
【００２２】
＜第１の実施の形態＞
図１は、本発明の第１の実施の形態における携帯電話の外観を示す斜視図である。図１を参照して、携帯電話１は、操作部３と、表示部２とを含む。操作部３と表示部２とは、ヒンジ機構で回転可能に連結される。このため、携帯電話１は、操作部３の内側面と表示部２の内側面とが向かい合う閉状態と、ユーザが操作部３の内側面と表示部２の内側面とを同時に目視可能な開状態とに遷移可能である。図１は、開状態にある携帯電話１の外観を示している。
【００２３】
操作部３の内側面には、テンキー、通話キー等の操作キー１４と、マイク１３とが配置される。表示部２の内側面には、液晶表示装置（ＬＣＤ）１５と、第１スピーカ１１と、第２スピーカ１２とが配置される。携帯電話１が閉状態にあるときでも、操作部３と表示部２との間には隙間が開くようにされており、第２スピーカ１２が出力する音が、携帯電話１の外部に伝達する。また、マイク１３が配置される操作部３の内側面には、溝部が形成されている。このため、マイク１３は、携帯電話１が閉状態にあるとき、携帯電話１の外部の音を集音することができる。
【００２４】
図２は、第１の実施の形態における携帯電話の回路図である。図２を参照して、携帯電話１は、携帯電話１の全体を制御するための制御部２１と、アンテナ２３が接続された無線回路２５と、ユーザの操作の入力を受付ける操作キー１４と、ＬＣＤ１５と、予約設定情報および制御部２１で実行するプログラムを記憶するためのメモリ２９と、タイマ２７と、音声データを処理するためのコーデック部３１と、マイク１３と、コーデック部３１が出力するアナログの音声データの出力先を切替える切替部３３と、切替部３３の２つの出力にそれぞれ接続された第１スピーカ１１および第２スピーカ１２とを含む。
【００２５】
無線回路２５は、アンテナ２３により受信された無線信号が入力され、無線信号を復調した音声信号をコーデック部３１に出力する。また、無線回路２５は、コーデック部３１から音声信号が入力され、音声信号を変調した無線信号をアンテナ２３に出力する。コーデック部３１は、無線回路２５から入力される音声信号を復号し、復号したデジタルの音声信号をアナログに変換し、増幅し、そして切替部３３に出力する。また、コーデック部３１は、マイク１３からアナログの音声信号が入力され、音声信号をデジタルに変換し、符号化し、そして符号化した音声信号を無線回路２５に出力する。
【００２６】
切替部３３は、コーデック部３１から音声信号が入力され、制御部２１から切替信号が入力される。切替部３３は、切替信号に従って音声信号の出力先を、第１スピーカ１１と第２スピーカ１２とのいずれかに切替える。制御部２１は、携帯電話１がハンズフリーモードにないとき（通常の通話のとき）は、切替部３３に音声信号の出力先を第１スピーカ１１とする切替信号を出力して、第１スピーカ１１を能動化させる。制御部２１は、携帯電話１がハンズフリーモードにあるときは、切替部３３に音声信号の出力先を第２スピーカ１２とする切替信号を出力して、第２スピーカ１２を能動化させる。第２スピーカ１２は、第１スピーカ１１よりも出力する音量が大きい。携帯電話１は、第２スピーカ１２を少なくとも１つ備えていればよく、２つ以上備えるようにしてもよい。マイク１３および第２スピーカ１２とでハンズフリー装置を構成する。
【００２７】
メモリ２９は、制御部２１で実行する予約設定プログラムおよび目覚まし発呼プログラムを記憶するためのＲＯＭ（Ｒｅａｄ  Ｏｎｌｙ  Ｍｅｍｏｒｙ）と、後述する予約設定情報を不揮発的に記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）とを含む。なお、ここでは制御部２１で実行するための予約設定プログラムおよび目覚まし発呼プログラムをメモリ２９のＲＯＭに記憶しておく例を説明するが、予約設定プログラムおよび目覚まし発呼プログラムをフラッシュメモリ４０に記憶しておき、フラッシュメモリ４０から予約設定プログラムおよび目覚まし発呼プログラムを読み出して、制御部２１で実行するようにしてもよい。なお、予約設定プログラムおよび目覚まし発呼プログラムを記憶する記録媒体としては、フラッシュメモリ４０に限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話１をインターネットに無線回路２５を介して接続し、インターネットに接続されたコンピュータから予約設定プログラムおよび目覚まし発呼プログラムをダウンロードして、制御部２１で実行するようにしてもよい。なお、ここでいうプログラムは、制御部２１により直接実行可能なプログラムだけでなく、ソースプログラム形式のプログラム、圧縮処理されたプログラム、暗号化されたプログラム等を含む。
【００２８】
本実施の形態における携帯電話１は、ユーザが起床を予定する日時を予約時刻として登録すると、その予約時刻になると目覚まし音としてユーザの知人の声を発生する。このため、携帯電話１では、ユーザが予約時刻等を登録しておくための予約設定処理と、予約時刻にユーザの知人の声を発生させるための目覚まし発呼処理とを実行する。以下、携帯電話１が実行する予約設定処理と、目覚まし発呼処理について説明する。
【００２９】
図３は、第１の実施の形態における携帯電話で実行される予約設定処理の流れの一例を示すフローチャートである。この予約設定処理は、制御部２１が予約設定プログラムを実行することにより、制御部２１で実行される。図３を参照して、制御部２１は、予約時刻が入力されたか否かを判断する（ステップＳ０１）。予約時刻は、携帯電話１を操作するユーザにより携帯電話１に入力される。制御部２１は、ユーザが予約時刻を入力するための入力画面をＬＣＤ１５に表示させ、ユーザにより操作キー１４に予約時刻が入力されることにより予約時刻を取得する。制御部２１は、予約時刻が操作キー１４に入力されるまで待機状態となり（ステップＳ０１でＮＯ）、予約時刻が操作キー１４に入力されると処理をステップＳ０２に進める。ステップＳ０２では、制御部２１は、取得した予約時刻をメモリ２９の所定の領域に記憶する。
【００３０】
ステップＳ０３では、制御部２１は、予約発呼番号が入力されたか否かを判断する。予約発呼番号は、固定電話に割り当てられた電話番号であってもよく、携帯電話に割り当てられた電話番号であってもよい。予約発呼番号は、ユーザの知人の所有する電話に割り当てられた電話番号であることが好ましい。予約発呼番号は、携帯電話１を操作するユーザによる操作キー１４の押下により入力される。制御部２１は、ユーザが予約発呼番号を入力するための入力画面をＬＣＤ１５に表示させ、ユーザにより操作キー１４に予約発呼番号が入力されることにより予約発呼番号を取得する。制御部２１は、予約発呼番号が操作キー１４に入力されるまで待機状態となり（ステップＳ０３でＮＯ）、予約発呼番号が操作キー１４に入力されると処理をステップＳ０４に進める。ステップＳ０４では、制御部２１は、取得した予約発呼番号を、ステップＳ０２で記憶した予約時刻と関連付けてメモリ２９に記憶する。なお、ステップＳ０１とステップＳ０３それぞれでＬＣＤ１５に入力画面を表示させるようにしたが、ステップＳ０１およびステップＳ０３それぞれで表示させた入力画面を同時にＬＣＤ１５に表示させるようにしてもよい。
【００３１】
ステップＳ０５では、制御部２１は、メッセージが入力されたか否かを判断する。後述する目覚まし発呼処理では、予約設定時刻になると予約発呼番号に自動的に発呼するが、メッセージは、その発呼に応答して応呼した電話のユーザに発呼の目的を知らせるために用いられる。このため、メッセージは、たとえば「（携帯電話１の所有者の氏名）です。この電話は目覚まし電話です。大きな声で起こしてください。」などとすればよい。メッセージは、携帯電話１を操作するユーザの発話によりマイク１３から入力される。制御部２１は、ユーザにメッセージの入力を促すための案内画面をＬＣＤ１５に表示させ、ユーザによりマイク１３にメッセージが入力されることによりメッセージを取得する。制御部２１は、メッセージが入力されると処理をステップＳ０６に進め、メッセージが入力されなければ処理をステップＳ０７に進める。なお、メッセージの入力は、音声だけに限られず、テキストデータで入力するようにしてもよい。この場合には、メッセージは、携帯電話１を操作するユーザによる操作キー１４の押下により入力される。また、後述する目覚まし発呼処理では、テキストデータを音声合成してメッセージの音声を再生するようにすればよい。
【００３２】
ステップＳ０６では、制御部２１は、マイク１３に入力されたメッセージを、ステップＳ０２で記憶した予約時刻と関連付けてメモリ２９に記憶する。一方、ステップＳ０７では、デフォルトのメッセージを、ステップＳ０２で記憶した予約時刻と関連付けてメモリ２９に記憶する。デフォルトのメッセージは、メモリ２９に予め記憶されており、たとえば「この電話は目覚まし電話です。大きな声で起こしてください。」などである。
【００３３】
携帯電話１で予約設定処理が実行されると、メモリ２９に予約設定情報が記憶される。図４は、予約設定情報のフォーマットの一例を示す図である。図４を参照して、予約設定情報は、予約時刻と、予約発呼番号と、メッセージとを関連付ける。
【００３４】
図５は、第１の実施の形態における携帯電話で実行される目覚まし発呼処理の流れの一例を示すフローチャートである。この目覚まし発呼処理は、制御部２１が目覚まし発呼プログラムを実行することにより、制御部２１で実行される。図５を参照して、制御部２１は、予約設定がされた状態か否かを判断する（ステップＳ１１）。携帯電話１は、予約設定モードと非予約設定モードとのいずれかにモードの切替が可能であり、制御部２１は、予約設定モードに設定されていれば予約設定がされた状態にあると判断して処理をステップＳ１２に進める。制御部２１は、非予約設定モードに設定されていれば予約設定がされていない状態にあると判断して処理を終了する。すなわち、目覚まし発呼処理は、携帯電話１が予約設定モードに設定されていることを条件に、実行される処理である。なお、制御部２１は、メモリ２９に予約設定情報が記憶されていれば予約設定された状態と判断し、メモリ２９に予約設定情報が記憶されていなければ予約設定されていない状態と判断するようにしてもよい。
【００３５】
ステップＳ１２では、制御部２１は、メモリ２９から予約時刻を読み出す。そして、制御部２１は、現在時刻が予約時刻になるまで待機状態となり（ステップＳ１３でＮＯ）、現在時刻が予約時刻になると処理をステップＳ１４に進める。ステップＳ１４では、制御部２１は、携帯電話１が番号通知に設定されているか否かを判断する。携帯電話１は、番号通知モードと番号非通知モードとのいずれかにモードの切替が可能であり、制御部２１は、番号通知モードに設定されていれば処理をステップＳ１５に進め、番号非通知モードに設定されていれば処理をステップＳ２５に進める。番号通知モードとは、発呼先の電話機に発呼側の携帯電話１の電話番号を通知する処理を実行するモードである。携帯電話１が番号非通知モードに設定されている場合に発呼させないようにして、携帯電話１によりいたずらに発呼されるのを防止するためである。制御部２１は、ステップＳ２５では、アラーム音を出力させる。アラーム音は、第２スピーカ１２から出力するようにしてもよいし、第２スピーカ１２とは別に設けられたスピーカから出力するようにしてもよい。
【００３６】
ステップＳ１５では、制御部２１は、メモリ２９から予約発呼番号を読み出す。そして、制御部２１は、読み出した予約発呼番号に発呼する（ステップＳ１６）。そして制御部２１は、切替部３３に切替信号を出力して、音声信号の出力先を第２スピーカ１２に切替える（ステップＳ１７）。これにより、第２スピーカ１２が能動化される。換言すれば、携帯電話１のハンズフリー機能が能動化される。第２スピーカ１２が能動化されると、リングバックトーンが第２スピーカ１２より出力されるので、携帯電話１のユーザは、第２スピーカ１２から出力されるリングバックトーンを聴いて目覚めることができる。また、リングバックトーンは、予約時刻に出力されるので、正確な時刻にユーザを目覚めさせることができる。
【００３７】
次に、制御部２１は、発呼に応答した応呼を検出する（ステップＳ１８）。発呼に応答した応呼は、発呼先の電話機のオフフックである。発呼に応答した応呼により、携帯電話１と予約発呼番号の割り当てられた電話機との間で、通話のための通信が確立する。制御部２１は、応呼を検出すると処理をステップＳ１９に進める。制御部２１は、応呼を検出できなければ処理をステップＳ２５に進める。応呼がない場合に発呼を中止して、いつまでも発呼動作が継続されるのを防止するためである。応呼が検出されないことの判断は、たとえば、発呼を開始してから所定時間が経過した場合、所定回数を超える発呼音の発生があった場合等とすればよい。
【００３８】
制御部２１は、ステップＳ１９ではタイマ２７をスタートさせて、タイマ２７に応呼からの経過時間を計時させる。そして、制御部２１は、メモリ２９からメッセージを読み出す（ステップＳ２０）。そして、制御部２１は、読み出したメッセージを再生して送信する（ステップＳ２１）。これにより、予約発呼番号の割り当てられた電話機のユーザは、メッセージを聴くことによって携帯電話１の発呼の目的を知ることができる。そして、第２スピーカ１２が能動化されているので、通話先の相手が発話すれば、その声が第２スピーカ１２から出力される。この際、第２スピーカ１２の出力を最大値に設定するようにしてもよい。このため、携帯電話１のユーザは、リングバックトーンを聞いて目覚めている場合には、第２スピーカ１２から出力される通話先の相手の声を聴くことができるので、心地よい目覚め感覚を得ることができる。また、携帯電話１のユーザは、リングバックトーンを聞いて目覚めていなくても、第２スピーカ１２から出力される通話先の相手の声を聴いて目覚めることができるので、心地よく目覚めることができる。
【００３９】
制御部２１は、タイマ２７により応呼から計時された時間が所定時間を経過したか否かを判断し（ステップＳ２２）、所定時間経過していれば処理をステップＳ２４に進め、所定時間経過していなければ処理をステップＳ２３に進める。通話状態を所定時間に制限することで、いたずらに通話状態が長時間継続するのを防止して通話料金が加算されるのを防止するためである。制御部２１は、ステップＳ２３で、通話状態が終了したか否かを判断する。通話状態の終了の検出は、通話先の電話機がオンフックとなったことの検出、および、携帯電話１がオンフックとなったことの検出を含む。制御部２１は、通話状態が終了した場合には処理をステップＳ２４に進め、終了していない場合には処理をステップＳ２２に戻す。制御部２１は、ステップＳ２４で、通話を終了させて処理を終了する。具体的には、制御部２１は、携帯電話１をオンフックにする。
【００４０】
なお、制御部２１が、ステップＳ１７で音声信号の出力先を第２スピーカ１２に切替えるようにしたが、これに代えて、制御部２１が、ステップＳ１７で音声信号の出力先を第１スピーカ１２に切替えるようにし、ステップＳ２１でメッセージを再生および送信した後に、切替部３３に切替信号を出力して、音声信号の出力先を第２スピーカ１２に切替えるようにしてもよい。これにより、第２スピーカ１２からは、リングバックトーンが出力されることなく、応呼のあった通話先の相手の声が出力されるので、携帯電話１のユーザは、第２スピーカ１２から出力される通話先の相手の声を聴いて目覚めることができるので、心地よく目覚めることができる。
【００４１】
また、制御部２１が、ステップＳ１６で予約発呼番号に発呼した後、ステップＳ２１でメッセージの送信が完了するまでの間、制御部２１はアラーム音を出力させるようにしてもよい。これにより、予約時刻にアラーム音が出力されるので、正確な時刻にユーザをめざめさせることができる。そして、メッセージの送信が完了してアラーム音の出力が停止すると、通話先の相手が発話すれば、第２スピーカ１２が能動化されているので、その声が第２スピーカ１２から出力される。このため、携帯電話１のユーザは、まず、アラーム音で目覚めることができ、その後に第２スピーカ１２から出力される通話先の相手の声を聴くことになるので、心地よく目覚めることができる。
【００４２】
＜変形例＞
上述した実施の形態における携帯電話１は、メモリ２９に１つの予約発呼番号を記憶するものであった。この場合、予約番号が割り当てられた電話機のユーザが、応呼しなければ目覚まし発呼処理が終了してしまう。また、予約番号が割り当てられた電話機のユーザが応呼しても大きな声で起こしてくれなかった場合、応呼して大きな声で起こそうと試みてくれたにもかかわらずユーザが目覚めることなく所定時間が経過した場合、または、ユーザが一度目覚めた後に再度就寝してしまった場合等でも、目覚まし発呼処理が終了してしまう。変形例における携帯電話１は、メモリ２９に複数の予約発呼番号を記憶する、これに加えてまたはこれとは別に、過去に予約発呼した予約発呼番号を新たな予約発呼番号とする。
【００４３】
図６は、変形例における携帯電話で実行される予約設定処理の流れの一例を示すフローチャートである。この予約設定処理は、制御部２１が予約設定プログラムを実行することにより、制御部２１で実行される。図６を参照して、図３に示した予約設定処理と異なるところは、ステップＳ０４とステップＳ０５との間に、ステップＳ３１〜ステップＳ３３が追加された点である。ステップＳ０１〜ステップＳ０７の処理は、図３で説明したのと同じなので、ここでは説明を繰り返さない。
【００４４】
制御部２１は、ステップＳ３１では、メモリ２９に記憶された予約発呼番号が複数か否かを判断する。制御部２１は、メモリ２９に複数の予約発呼番号が記憶されていれば処理をステップＳ３２に進め、そうでなければ処理をステップＳ３３に進める。ステップＳ３２では、制御部２１は、メモリ２９に記憶された予約発呼番号に優先度を付与する。制御部２１は、予約発呼番号が入力された順に優先度を予約発呼番号に付与する。また、携帯電話１を操作するユーザが決定した優先度をユーザが操作キー１４に入力するようにし、制御部２１が入力された優先度を付与するようにしてもよい。制御部２１は、ステップＳ３３で、終了指示が入力されたか否かを判断する。終了指示は、予約発呼番号の入力の完了を示す。制御部２１は、終了指示が入力されると処理をステップＳ０５に進め、終了指示が入力されなければ処理をステップＳ０２に戻す。これにより、複数の予約発呼番号が、優先度が付されてメモリ２９に記憶される。
【００４５】
図７は、予約設定情報の別のフォーマットの一例を示す図である。図７を参照して、予約設定情報は、１つの予約時刻に、ｎ個の予約発呼番号と、１つのメッセージとを関連付ける。予約設定情報は、ｎ個の予約発呼番号それぞれが記憶される位置で優先度１〜優先度ｎを対応付ける。例えば、優先度１の予約発呼番号が記憶される予約発呼番号には優先度１が対応付けられる。優先度が小さいほど優先順位が高い。
【００４６】
図８は、変形例における携帯電話で実行される目覚まし発呼処理の流れの一例を示すフローチャートである。この目覚まし発呼処理は、制御部２１が目覚まし発呼プログラムを実行することにより、制御部２１で実行される。図８を参照して、ステップＳ４１〜ステップＳ４４およびＳ６６は、図５に示したステップＳ１１〜ステップＳ１４およびステップＳ２５と同じなので、ここでは説明を繰り返さない。
【００４７】
ステップＳ４５では、制御部２１は、変数ｎに「１」を設定する。変数ｎは、発呼回数をカウントするための変数であり、１以上の整数が設定可能である。そして、ステップＳ４６では、制御部２１は、予約発呼番号が存在するか否かを判断する。ここで制御部２１が存在すると判断する予約発呼番号は、メモリ２９に記憶されている予約設定情報に含まれる予約発呼番号のうち、ステップＳ５２における発呼処理が実行されていない予約発呼番号である。制御部２１は、予約発呼番号が存在すると判断すれば処理をステップＳ４７に進め、存在しないと判断すれば処理をステップＳ４８に進める。制御部２１は、ステップＳ４７では、未だ発呼していない予約発呼番号のうちから優先度の最も高い予約発呼番号を読み出す。この予約発呼番号の読み出しは、発呼することの決定である。
【００４８】
制御部２１は、ステップＳ４８では、予約発呼履歴情報がメモリ２９に記憶されているか否かを判断する。予約発呼履歴情報については後述する。制御部２１は、予約発呼履歴情報がメモリ２９に記憶されていれば処理をステップＳ４９に進め、記憶されていなければ処理をステップＳ６６に進める。ステップＳ４９では、制御部２１は、予約発呼履歴情報に含まれる予約発呼番号のうちから予約発呼回数の最も多い予約発呼番号を読み出す。この予約発呼番号の読み出しは、発呼することの決定である。なお、制御部２１が読み出す予約発呼番号は、目覚まし発呼処理が実行されてからステップＳ５２で未だ発呼されていない予約発呼番号である。目覚まし発呼処理の１回の実行で、複数回同じ予約発呼番号に発呼するのを防止するためである。
【００４９】
ステップＳ５０では、制御部２１は、変数ｎが１を超えるか否かを判断する。変数ｎは、ステップＳ４５で「１」に設定され、後述するステップＳ６５で「１」が加算される。すなわち、制御部２１は、発呼回数が１回を超えるか否かを判断する。ここでいう発呼回数は、目覚まし発呼処理が実行されて現在時刻が予約時刻になってからステップＳ５２で発呼した累計である。制御部２１は、発呼が１回を超えるなら処理をステップＳ５１に進め、発呼が１回目ならば処理をステップＳ５２に進める。制御部２１は、ステップＳ５１では、アラーム音を出力させる。アラーム音は、第２スピーカ１２から出力するようにしてもよいし、第２スピーカ１２とは別に設けられたスピーカから出力するようにしてもよい。後述するように、１回目の発呼で、応呼があった場合であっても、応呼した電話機が留守番電話モードであった場合、応呼した電話機のユーザが大きな声で起こしてくれなかった場合、応呼した電話機のユーザが大きな声で起こそうと試みてくれたにもかかわらずユーザが目覚めることなく所定時間が経過した場合、または、ユーザが一度目覚めた後に再度就寝してしまった場合等は、応呼した電話機がオンフックとなるか（ステップＳ６２でＹＥＳ）、所定時間経過して（ステップＳ６１でＹＥＳ）通話が終了する（ステップＳ６３）。この場合に、２回目以降の発呼がなされるが、１回目の発呼から２回目以降の発呼までに、ある程度の時間が費やされてしまう。このため、ユーザを可能な限り予約時刻に近い時点で目覚めさせるために、２回目以降の発呼をすることが決定されるごとにアラーム音の出力を開始する。なお、既にアラーム音が出力されている場合には、その状態を維持する。ここでは、発呼する前にアラーム音の出力を開始するようにしている。このため、ｎ（ｎは１以上の整数）回目と（ｎ＋１）回目との間にアラーム音の出力が開始する。なお、２回目以降の発呼をすることが決定された後であれば、たとえば、２回目以降の発呼後にアラーム音の出力を開始してもよいし、２回目以降の発呼に応じた応呼があった後にアラーム音の出力を開始してもよい。
【００５０】
そして、制御部２１は、ステップＳ４７またはステップＳ４９で読み出した予約発呼番号に発呼し（ステップＳ５２）、その予約発呼番号をメモリ２９に予約発呼履歴情報として記憶する（ステップＳ５３）。
【００５１】
図９は、予約発呼履歴情報のフォーマットの一例を示す図である。図９を参照して、予約発呼履歴情報は、予約発呼番号と、予約発呼回数とを含む。予約発呼履歴情報は、予約発呼番号に、過去に目覚まし発呼処理による発呼（予約発呼）がされた回数を対応付ける。
【００５２】
図８に戻って、制御部２１は、ステップＳ５３では、メモリ２９に記憶された予約発呼履歴情報に予約発呼番号が含まれていなければ、予約発呼番号に「１」の発呼回数を対応付けた予約発呼履歴情報を生成して、既に記憶されている予約発呼履歴情報に追加して記憶する。制御部２１は、メモリ２９に記憶された予約発呼履歴情報に予約発呼番号が含まれれば、その予約発呼番号に対応する発呼回数を１つ増加した値に更新する。
【００５３】
そして制御部２１は、切替部３３に切替信号を出力して、音声信号の出力先を第２スピーカ１２に切替える（ステップＳ５４）。これにより、第２スピーカ１２が能動化される。換言すれば、携帯電話１のハンズフリー機能が能動化される。第２スピーカ１２が能動化されると、リングバックトーンが第２スピーカ１２より出力されるので、携帯電話１のユーザは、第２スピーカ１２から出力されるリングバックトーンを聴いて目覚めることができる。また、１回目の発呼の場合には、リングバックトーンは、予約時刻に出力されるので、正確な時刻にユーザを目覚めさせることができる。
【００５４】
次に、制御部２１は、発呼に応答した応呼を検出する（ステップＳ５５）。制御部２１は、応呼を検出すると処理をステップＳ５６に進め、応呼を検出できなければ処理をステップＳ６４に進める。応呼がない場合に発呼を中止して、いつまでも発呼動作が継続されるのを防止するためである。制御部２１は、ステップＳ５６では、アラーム出力中か否かを判断する。制御部２１は、アラーム音を出力中であれば処理をステップＳ５７に進めて出力中のアラーム音を停止させ、アラーム音を出力中でなければ処理をステップＳ５８に進める。
【００５５】
ステップＳ５８〜ステップＳ６３の処理は、図３に示したステップＳ１９〜ステップＳ２４の処理とそれぞれ同じなので、ここでは説明を繰り返さない。ステップＳ６４では、制御部２１は、終了指示の入力を検出する。終了指示は、携帯電話１のユーザにより入力され、目覚まし発呼処理を終了させるための指示である。終了指示の入力の検出は、携帯電話１のユーザによる操作キー１４の押下を検出してもよいし、マイク１３でユーザの声が入力されたことを検出してもよい。制御部２１は、終了指示の入力を検出すると処理を終了し、終了指示の入力を検出しなければ処理をステップＳ６５に進める。制御部２１は、ステップＳ６５で変数ｎに「１」を加算して、処理をステップ４６に戻す。これにより、携帯電話１のユーザが終了指示を入力するまで、メモリ２９に記憶されている予約設定情報に含まれる予約発呼番号が優先度の高い順に選択されて発呼される、または、予約発呼履歴情報に含まれる予約発呼番号が予約発呼回数の多い順に選択されて発呼される。このため、携帯電話１のユーザを確実に目覚めさせることができる。
【００５６】
なお、ステップＳ５１でアラーム音を出力しないようにしてもよい。これにより、ユーザは騒々しいアラーム音を聞くことなく、ユーザの所望する相手の声を聴いて目覚めることができる。この場合、ステップＳ５６およびステップＳ５７は不要である。さらに、ステップＳ５１でアラーム音を出力しないようにするのに加えて、制御部２１が、ステップＳ５４で音声信号の出力先を第２スピーカ１２に切替えるのに代えて、制御部２１が、ステップＳ５４で音声信号の出力先を第１スピーカ１２に切替えるようにし、ステップＳ６０でメッセージを再生および送信した後に、切替部３３に切替信号を出力して音声信号の出力先を第２スピーカ１２に切替えるようにしてもよい。これにより、第２スピーカ１２からは、リングバックトーンが出力されることなく、応呼のあった通話先の相手の声が出力されるので、携帯電話１のユーザは、第２スピーカ１２から出力される通話先の相手の声を聴いて目覚めることができるので、心地よく目覚めることができる。
【００５７】
＜第２の実施の形態＞
第１の実施の形態においては、携帯電話１は、第１スピーカ１１と、第２スピーカ１２とを備えるものであった。第２の実施の形態における携帯電話は、単一のスピーカに音量の異なる音声信号を与えるようにしたものである。
【００５８】
図１０は、第２の実施の形態における携帯電話の回路図である。図１０を参照して、図２に示した回路図と異なる点は、切替部３３に代えて増幅部３５を用いた点と、増幅部３５に単一のスピーカ３６を接続した点である。その他の構成は、第１の実施の形態における携帯電話１と同じなので、ここでは説明を繰り返さない。スピーカ３６は、図１に示す携帯電話１に第１スピーカ１１と同じ位置に設置される。
【００５９】
増幅部３５は、コーデック部３１から音声信号が入力され、制御部２１から増幅率が入力される。増幅部３５は、音声信号を制御部２１から入力される増幅率で増幅して、スピーカ３６に出力する。制御部２１は、携帯電話１がハンズフリーモードにないとき（通常の通話のとき）は、第１の増幅率を増幅部３５に与える。第１の増幅率は、携帯電話１のユーザが、スピーカ３６に耳を当てて音声を聴くことが可能な音量を発生するのに必要な値である。制御部２１は、携帯電話１がハンズフリーモードにあるときは、第１の増幅率よりも高い第２の増幅率を増幅部３５に与える。これにより、携帯電話１のユーザは、スピーカ３６から耳を離した状態で、音声を聴くことができる。
【００６０】
制御部２１は、図３または図８に示した目覚まし発呼処理を実行する場合、ステップＳ１７またはステップＳ５４で、第２の増幅率を増幅部３５に与える。
【００６１】
以上説明したように、本実施の形態における携帯電話１は、現在時刻が予約時刻になると予約発呼番号に発呼する。発呼先の電話機が発呼に応じれば通話が可能となる。このため、携帯電話１のユーザが特別な操作をしなくても、予約発呼番号の電話機との間で通話が可能な状態となる。また、携帯電話１は、通話が可能な状態となった後、メッセージを再生して送信するので、通話相手に通話の目的を知らせることができる。さらに、携帯電話１は、予約発呼番号への発呼でない場合は第１スピーカ１１から音声を出力する、または、小さな音量でスピーカ３６から音声を出力するので、第１スピーカ１１またはスピーカ３６に耳を近づけた状態で通話することができる。一方、予約発呼番号への発呼に応じて通話が可能な状態となった場合は第２スピーカ１２から音声を出力する、または、大きな音量でスピーカ３６から音声を出力するので、通話相手の声を第１スピーカ１１またはスピーカ３６から耳を離した状態で聴くことができる。このため、携帯電話１のユーザは、予約時刻を起床時刻に設定すれば、起床時にユーザの所望する相手の声を聴くことができ、ユーザは心地よい感覚で目覚めることができる。
【００６２】
また、携帯電話１は、複数の予約発呼番号を記憶し、先の予約発呼番号での発呼に応じて通話が可能な状態とならなかった場合に、次の予約発呼番号を選択して発呼するので、先に選択した知人が不在などで通話が可能な状態とならない場合でも別の知人と通話が可能な状態とすることができる。
【００６３】
また、携帯電話１は、通話が可能な状態が終了した後に、ユーザによる終了指示の入力が受付けられなければ、次の予約発呼番号を選択して発呼し、別の知人と通話が可能な状態とする。このため、終了指示の入力が受付けられるまで、順に知人を選択して通話が可能な状態とするので、先に選択した知人の電話が留守番モードなどの場合に、次に選択した知人の声を聴くことができる。ユーザが目覚めるまで、発呼が繰り返されるので、ユーザを確実に目覚めさせることができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６５】
＜付記＞
上述した実施の形態における携帯電話には、次の発明概念が含まれる。
（１）  前記第１音声出力手段は、第１のスピーカを含み、
前記第２音声出力手段は、第２のスピーカを含み、
前記制御手段は、前記第１のスピーカおよび前記第２のスピーカのいずれかに音声出力を切替える切替手段を含む、請求項１に記載の通信端末。
（２）  入力される音声信号を増幅する増幅手段と、
前記増幅手段により増幅された音声信号を出力するスピーカとをさらに備え、
前記第１音声出力手段は、前記増幅手段に第１の増幅率を与えて、入力される音声信号を増幅させ、
前記第２音声出力手段は、前記増幅手段に第１の増幅率より大きな第２の増幅率を与えて、入力される音声信号を増幅させる、請求項１に記載の通信端末。
（３）  制御手段は、メッセージ送信手段によるメッセージの送信終了後に第２音声出力手段を能動化する、請求項１に記載の通信端末。
（４）  アラーム音を出力するアラーム手段をさらに備え、
前記制御手段は、前記予約発呼手段による発呼に応じて前記通信手段が通信を確立しなかった場合に前記アラーム手段にアラーム音を出力させる、請求項１に記載の通信端末。
【図面の簡単な説明】
【００６６】
【図１】本発明の第１の実施の形態における携帯電話の外観を示す斜視図である。
【図２】第１の実施の形態における携帯電話の回路図である。
【図３】第１の実施の形態における携帯電話で実行される予約設定処理の流れの一例を示すフローチャートである。
【図４】予約設定情報のフォーマットの一例を示す図である。
【図５】第１の実施の形態における携帯電話で実行される目覚まし発呼処理の流れの一例を示すフローチャートである。
【図６】変形例における携帯電話で実行される予約設定処理の流れの一例を示すフローチャートである。
【図７】予約設定情報の別のフォーマットの一例を示す図である。
【図８】変形例における携帯電話で実行される目覚まし発呼処理の流れの一例を示すフローチャートである。
【図９】予約発呼履歴情報のフォーマットの一例を示す図である。
【図１０】第２の実施の形態における携帯電話の回路図である。
【符号の説明】
【００６７】
１  携帯電話、２  表示部、３  操作部、１１  第１スピーカ、１２  第２スピーカ、１３  マイク、１４  操作キー、１５  ＬＣＤ、２１  制御部、２３  アンテナ、２５  無線回路、２７  タイマ、２９  メモリ、３１  コーデック部、３３  切替部、３５  増幅部、３６  スピーカ、４０  フラッシュメモリ。
【図１】
0004672519.tif 000002
【図２】
0004672519.tif 000003
【図３】
0004672519.tif 000004
【図４】
0004672519.tif 000005
【図５】
0004672519.tif 000006
【図６】
0004672519.tif 000007
【図７】
0004672519.tif 000008
【図８】
0004672519.tif 000009
【図９】
0004672519.tif 000010
【図１０】
0004672519.tif 000011